(57)【特許請求の範囲】
【請求項１】
感光体ドラムの周面に形成されたトナー像を転写ローラ周面に転写し、ついでこの転写ローラ周面のトナー像を、上記感光体ドラムに形成されたトナー像と逆極性の電位を印加した転写ローラとバックアップローラとのニップ部を走行するメディアに、両ローラのニップ圧と、両ローラ間の上記トナー像とは逆極性の電位差により転写するようにした電子写真装置において、
転写ローラとバックアップローラとのニップ部を通るメディア走行路で、かつ上記ニップ部の直近の上流側に、このメディア走行路を走行するメディアの転写ローラ側表面に転写ローラとバックアップローラに印加される電圧と同極性で、かつ転写ローラに印加される電圧より絶対値が大きく、バックアップローラに印加される電圧と絶対値が同等以下の電圧を非接触状態で印加するメディア帯電用チャージャを設け、
このメディア帯電用チャージャをＯＮ，ＯＦＦ可能にし、
上記メディア帯電用チャージャをＯＮしたときは、バックアップローラへの電圧印加をＯＦＦし、メディア帯電用チャージャをＯＦＦしたときは、バックアップローラへの電圧印加をＯＮとすることを特徴とする電子写真装置。
【発明の詳細な説明】
【技術分野】
【０００１】
本発明は、印刷機、複写機、プリンター、ファクシミリなどの電子写真装置であって、感光体ドラムの周面に現像されたトナー像を転写ローラに転写した後、この転写ローラに転写されたトナー像を、この転写ローラに転接するバックアップローラとの間を通過する用紙、フィルム等のメディアに転写するようにした電子写真装置に関するものである。
【背景技術】
【０００２】
図１は上記した感光体ドラムに対して転写ローラとバックアップローラを用いた湿式の電子写真装置を概略的に示したもので、この図において、１は感光体ドラム、２は感光体ドラム１に対接する転写ローラ、３はこの転写ローラ２に対接するバックアップローラである。
【０００３】
この電子写真装置にあっては、上記感光体ドラム１は図示しないモータ等の駆動手段にて画像形成時に一定速度で矢印方向に回転され、感光体ドラム１の周面は帯電装置４にて暗中にて一様に帯電され、ついで感光体ドラム１の周面に露光装置５により原稿光像が照射結像され、これにより感光体ドラム１の周面に静電潜像が形成される。その後、静電潜像が現像領域を通過する際に、現像装置６にてこの静電潜像が液体トナーにて可視像化されて感光体ドラム１の周面にトナー像が形成される。
【０００４】
この感光体ドラム１の周面上におけるトナー像は、転写領域にて転写ローラ２を通して印加されるバイアス電圧と感光体ドラムと転写ローラの間のニップ圧により、転写ローラ２の周面に１次転写され、この１次転写のトナー像は２次転写領域にて、転写ローラ２とバックアップローラ３の間を通過するメディア７に２次転写されるようになっている。なお、図中８ａは感光体ドラム１に残留したトナーを除去する感光体クリーナ、８ｂは同じく転写ローラ２に残留したトナーを除去する転写体クリーナ、９ａは除電器、９ｂはキャリア液供給装置である。
【先行技術文献】
【特許文献】
【０００５】
【特許文献１】特開２００９−１５７１７６号公報
【発明の概要】
【発明が解決しようとする課題】
【０００６】
この種の電子写真装置において、上記感光体ドラム１の周面に形成されたトナー像の電荷がプラスの場合には、転写ローラ２とバックアップローラ３に、感光体ドラム１の周面のトナー像の帯電極性とは逆極性の電圧で、バックアップローラ３の方をマイナス側に大きくしたマイナスの電圧が印加されており、このローラ２，３間を通るメディア７には両ローラ２，３のニップ圧と両ローラ２，３の電位差により、上記転写ローラ２周面のトナー像が転写されるようになっている。
【０００７】
このため、このような電子写真装置にあっては、メディア７に絶縁性が高く、転写ローラ２とバックアップローラ３間の電位差を遮ってしまうようなもの、例えば厚さが厚いメディア７が用いられた場合には、転写ローラ２とバックアップローラ３とによる転写には両ローラの電位差による転写が行われないで、ニップ圧による転写のみとなり、良好な転写を行うことができなくなるという問題があった。また、厚さが厚いメディア７が用いられた場合には、バックアップローラ３の印加電圧を大きくして、転写に十分な電位差を得ることも考えられるが、転写ローラ２とバックアップローラ３間にメディア７が通らない状態では、転写ローラ２側に放電して転写ローラ２のゴムを破壊してしまうという問題があった。
【０００８】
本発明は上記のことに鑑みなされたもので、厚さが厚い等、電気的に絶縁性が高いメディアを用いたときにおいても、このメディアに転写ローラとバックアップローラとのニップ圧による転写と共に、転写ローラ側との電位差によって良好な転写を行うことができるようにした電子写真装置を提供することを目的とするものである。
【課題を解決するための手段】
【０００９】
上記目的を達成するために、本発明に係る電子写真装置は、感光体ドラムの周面に形成されたトナー像を転写ローラ周面に転写し、ついでこの転写ローラ周面のトナー像を、上記感光体ドラムに形成されたトナー像と逆極性の電位を印加した転写ローラとバックアップローラとのニップ部を走行するメディアに、両ローラのニップ圧と、両ローラ間の上記トナー像とは逆極性の電位差により転写するようにした電子写真装置において、転写ローラとバックアップローラとのニップ部を通るメディア走行路で、かつ上記ニップ部の直近の上流側に、このメディア走行路を走行するメディアの転写ローラ側表面に転写ローラとバックアップローラに印加される電圧と同極性で、かつ転写ローラに印加される電圧より絶対値が大きく、バックアップローラに印加される電圧と絶対値が同等以下の電圧を非接触状態で印加するメディア帯電用チャージャを設け、このメディア帯電用チャージャをＯＮ，ＯＦＦ可能にし、上記メディア帯電用チャージャをＯＮしたときは、バックアップローラへの電圧印加をＯＦＦし、メディア帯電用チャージャをＯＦＦしたときは、バックアップローラへの電圧印加をＯＮとする構成になっている。
【発明の効果】
【００１０】
本発明によれば、転写ローラとバックアップローラ間を走行するメディアの上記両ローラ間のニップ部の直前において、このメディアの転写ローラ側の表面に、メディア帯電用チャージャにて転写ローラとバックアップローラに印加される電圧と同極性で、かつ転写ローラに印加される電圧より大きく、バックアップローラに印加される電圧と同等以下の電圧を印加することができることにより、このメディアが上記ニップ部を通過する際に、転写ローラとメディア表面との電位差により転写ローラ周面のトナー像がメディア表面に転写することができ、転写ローラとバックアップローラのニップ部にて両ローラ間の電位差を遮ってしまうような絶縁性の高いメディアであっても、転写ローラ周面のトナー像を転写ローラとバックアップローラとのニップ圧と、転写ローラ側との電位差によって上記メディアに良好に転写することができる。また、放電を生じさせるほどのバックアップローラへの電圧印加が不要となり、転写ローラへの放電がなく、転写ローラのゴムを破壊することがない。
【００１１】
特に上記メディア帯電用チャージャは、メディア走行路を走行するメディアに対して非接触状態になっていることにより、メディアの印字面を汚すことなく、この印刷面を帯電することができる。
【図面の簡単な説明】
【００１２】
【図１】本発明を適用しようとする電子写真装置を示す構成説明図である。
【図２】本発明の実施の形態を示す構成説明図である。
【発明を実施するための形態】
【００１３】
本発明の実施の形態を図２にて説明する。なお、図１で示した構成と同様の部分は、同一符号を付して説明を省略する。
【００１４】
転写ローラ２とバックアップローラ３とで構成されるニップ部をメディア７が通過するメディア走行路ＭＳで、上記ニップ部の直近の上流側に、このメディア走行路ＭＳを走行するメディア７の転写ローラ側表面の幅方向全体にわたって対向するメディア帯電用チャージャ１０が設けてあり、メディア走行路ＭＳを走行するメディア７の転写ローラ２側表面（印字面）の幅方向全体に、このメディア帯電用チャージャ１０にて電圧を印加できるようになっている。
【００１５】
上記転写ローラ２とバックアップローラ３には感光体ドラム１の周面に形成されるトナー像の極性とは逆極性の、例えばトナー像の極性がプラスの場合ではマイナス極性の電圧が、例えば転写ローラ２にはマイナス４００Ｖ、バックアップローラ３にはマイナス１４００Ｖの電圧が印加されているものとする。そして上記メディア帯電用チャージャ１０は、上記バックアップローラ３に印加される電圧と同極性(マイナス)であり、また転写ローラ２に印加される電圧（マイナス４００Ｖ）よりマイナス側に大きく、バックアップローラ３に印加される電圧(マイナス１４００Ｖ)と同じかマイナス側に小さい電圧を上記メディア７に印加するようになっている。
【００１６】
このメディア帯電用チャージャ１０は、転写ローラ２とバックアップローラ３とのニップ部に対して上流側で、かつなるべく近いことが望ましい。そしてこのメディア帯電用チャージャ１０は、メディア走行路ＭＳを走行するメディア７に対してこれの全幅にわたって非接触状態で対向するようになっている。また、このメディア帯電用チャージャ１０はＯＮ，ＯＦＦできるようになっていて、上記メディア走行路ＭＳを走行するメディア７の物性に応じて選択的に用いることができるようになっている。
【００１７】
なお、上記転写ローラ２とバックアップローラ３は、トナー像の帯電極性に応じてこれらに印加される電圧がプラス、マイナスと変化されるが、メディア帯電用チャージャ１０の極性も上記バックアップローラ３の極性の変化に応じて変えられる。
【００１８】
次に、転写ローラ２の表面にトナー像を形成するための液体トナーのトナー粒子にプラス電荷が帯電されている場合の実施例を説明する。
【００１９】
このときにおいて、従来技術と同様に、転写ローラ２にマイナス４００Ｖの電圧が、またバックアップローラ３にマイナス１４００Ｖの電圧が印加されているものとする。
【００２０】
この状態でのメディア７への印字において、このメディア７が、例えばこれの厚さが薄くて絶縁性が低い場合には、メディア帯電用チャージャ１０をＯＦＦにしておく。
【００２１】
この状態で転写ローラ２とバックアップローラ３間のマイナス電位差がメディア７を透過して転写ローラ２側に作用し、転写ローラ２の表面に形成されているプラスに帯電しているトナー像がメディア７の転写ローラ２側の表面に引き付けられる。これと同時にこの部分は、転写ローラ２とバックアップローラ３とのニップ部を通過することで、このときのニップ圧と上記両ローラ間の電位差とにより、転写ローラ２のトナー像がメディア７に転写される。
【００２２】
一方、このメディア７への転写において、このメディア７が、例えばこれの厚みが厚く絶縁性が高く、上記転写ローラ２とバックアップローラ３間の電位差がメディア７にて遮られてしまうものが用いられる場合には、メディア帯電用チャージャ１０をＯＮにしておく。このときのメディア帯電用チャージャ１０には、転写ローラ２とバックアップローラ３に印加される電圧と同極性（マイナス）で、かつ転写ローラ２に印加される電圧より大きく、バックアップローラ３に印加される電圧より小さい（同電位でもよい）マイナス１０００Ｖの電圧を印加する。
【００２３】
この状態でメディア７には、転写ローラ２とバックアップローラ３とのニップ部の直前で、これの転写ローラ２側表面にメディア帯電用チャージャ１０にてマイナス１０００Ｖが印加されて、このメディア７の転写ローラ２側表面に、このマイナス１０００Ｖが帯電される。したがって、この帯電直後のメディア７が転写ローラ２とのニップ部を通過することにより、転写ローラ２の周面とメディア７の表面との間に（−１０００−（−４００））のマイナス６００Ｖの電位差が生じることになり、転写ローラ２とのニップ圧と共に、上記電位差により、転写ローラ２周面のトナー像がメディア７の表面に転写される。
【００２４】
なお、このときバックアップローラ３には通常の電圧（マイナス１４００Ｖ）が印加されているが、このバックアップローラ３側の電位はメディア７に遮られてこのバックアップローラ３側の電位の作用は少なく、あるいはない状態となる。したがって、この場合にはバックアップローラ３への電圧印加はＯＦＦにしてもよい。
【００２５】
上記実施の形態では、転写ローラ２にはマイナス４００Ｖ、バックアップローラ３にはマイナス１４００Ｖ、メディア帯電用チャージャ１０にはマイナス１０００Ｖの各電圧を印加する例を示したが、この各印加電圧は転写条件により適宜変化されるものである。
【符号の説明】
【００２６】
１…感光体ドラム、２…転写ローラ、３…バックアップローラ、４…帯電装置、５…露光装置、６…現像装置、７…メディア、８ａ…感光体クリーナ、８ｂ…転写体クリーナ、９ａ…除電器、９ｂ…キャリア液供給装置、１０…メディア帯電用チャージャ、ＭＳ…メディア走行路。
【図１】
0005855823.tif 000002
【図２】
0005855823.tif 000003